(57)【要約】本発明による真空装置は、包装袋の逆止弁を介して上記包装袋の内部の空気を吸引して真空化する真空ユニットと、上記真空ユニットに設けられ、上記真空ユニットの空気吸引部と上記包装袋の逆止弁とが気密に連通されるように上記包装袋をクランプするクランプユニットと、を含むことができる。【選択図】図３
2019500283.tif 000002
【特許請求の範囲】
【請求項１】
包装袋の逆止弁を介して前記包装袋の内部の空気を吸引して真空化する真空ユニットと、
前記真空ユニットに設けられ、前記真空ユニットの空気吸引部と前記包装袋の逆止弁とが気密に連通されるように前記包装袋をクランプするクランプユニットと、を含む真空装置。
【請求項２】
前記クランプユニットは、
前記空気吸引部が連結される連結孔が形成された第１支持板と、
前記第１支持板と密接可能に連結された第２支持板と、を備え、
前記第２支持板に前記第１支持板が移動されて圧迫される時に、前記第１支持板と第２支持板との間に配置された前記包装袋の逆止弁が前記連結孔と気密に連通されることを特徴とする、請求項１に記載の真空装置。
【請求項３】
前記第１支持板が前記第２支持板にヒンジ結合されていることを特徴とする、請求項２に記載の真空装置。
【請求項４】
前記第２支持板に前記第１支持板が弾性的に圧迫されるように、前記第１支持板と第２支持板とのヒンジ結合部位におけるヒンジ軸にはトーションスプリングが装着されていることを特徴とする、請求項３に記載の真空装置。
【請求項５】
前記クランプユニットは、
前記第１支持板の回動時における揺れを遮断するように、前記第２支持板においてヒンジ結合側から延びた台部が形成されるか、または前記第２支持板において前記第１支持板が結合された面の反対側面に装着され、且つ前記第２支持板と前記台部を合わせたサイズ以上に形成された台板をさらに備えることを特徴とする、請求項３に記載の真空装置。
【請求項６】
前記第１支持板及び前記第２支持板の互いに対応する面のうち少なくとも１つの面には摩擦パッドが装着されていることを特徴とする、請求項２に記載の真空装置。
【請求項７】
前記真空ユニットの一側部に設置されており、前記真空ユニットと電気的に連係され、前記クランプユニットによって前記包装袋がクランプされることを検知して前記真空ユニットを作動させる作動ユニットをさらに含むことを特徴とする、請求項２に記載の真空装置。
【請求項８】
前記作動ユニットには、
前記第２支持板に前記第１支持板が移動されたことを検知するか、または前記第２支持板に前記第１支持板が移動されて圧迫される時に、前記第１支持板と前記第２支持板との間に配置された前記包装袋を検知する検知部が形成されることを特徴とする、請求項７に記載の真空装置。
【請求項９】
前記検知部は、
前記第２支持板に前記第１支持板が移動されて圧迫される時に、前記第１支持板と前記第２支持板との間に配置された前記包装袋に押されて移動されるように突出形成されることを特徴とする、請求項８に記載の真空装置。
【請求項１０】
前記第１支持板と前記第２支持板との間に前記包装袋がない時に、前記第２支持板に前記第１支持板が移動されて圧迫された場合、前記検知部が引き込まれる作動解除溝が形成された検知解除部が前記第２支持板の一側部に設置されていることを特徴とする、請求項９に記載の真空装置。
【発明の詳細な説明】
【技術分野】
【０００１】
本発明は、真空装置に関するものであって、飲食物または物品を真空包装する包装袋を真空化する真空装置に関するものである。
【背景技術】
【０００２】
食品や調理された飲食物の酸化と変質を防止し、長期保存可能とするために、または、物品の体積を減らしてパッキングできるようにするために、保存しようとする飲食物または物品を包装袋の内部に入れ、空気を抜く真空装置が開発されて用いられている。
【０００３】
参照として、この際、包装袋には、空気が外部に抜かれるだけで、内部に入り込まないように構成された、韓国特許出願第２０１０−００５７０８３号の真空弁のような逆止弁が形成されており、このような包装袋は、図３及び図４に示されたように、一端部の縁に沿ってチャックが形成されているチャック袋であることができる。
【０００４】
しかし、かかる真空装置で包装袋の内部を真空化する過程で、空気の吸引が完全に行われないことがあるという問題がある。
【０００５】
これは、真空装置で包装袋の内部の空気を吸引する過程で、真空装置の空気吸引部と包装袋の逆止弁とが気密に連通されないことにより、空気吸引部と逆止弁との間に隙間が生じ、外部の空気が真空装置に入り込むためである。
【０００６】
すなわち、真空装置の空気吸引部に包装袋の逆止弁を押し当てる過程で、包装袋が空気吸引部に密接していない状態、すなわち、包装袋が縮んでいる状態で空気吸引部に当てられる状態が発生したり、または、密接していても真空吸引過程でそれを継続的に維持できず、少しでも外れてしまう状態が発生する。そのため、密接していない隙間を介して外部の空気が吸い込まれ、包装袋の真空化が円滑に且つ速やかに行われないという問題がある。
【発明の概要】
【発明が解決しようとする課題】
【０００７】
本発明は、上記のような問題点を解決するためになされたものであって、包装袋の内部の真空化が円滑に且つ速やかに行われるようにする真空装置を提供することをその目的とする。
【課題を解決するための手段】
【０００８】
上記のような目的を果たすために、本発明の一実施形態による真空装置は、包装袋の逆止弁を介して上記包装袋の内部の空気を吸引して真空化する真空ユニットと、上記真空ユニットに設けられ、上記真空ユニットの空気吸引部と上記包装袋の逆止弁とが気密に連通されるように上記包装袋をクランプするクランプユニットと、を含むことができる。
【０００９】
ここで、上記クランプユニットは、上記空気吸引部が連結される連結孔が形成された第１支持板と、上記第１支持板と密接可能に連結された第２支持板と、を備え、上記第２支持板に上記第１支持板が移動されて圧迫される時に、上記第１支持板と第２支持板との間に配置された上記包装袋の逆止弁が上記連結孔と気密に連通されることができる。
【００１０】
この際、上記第１支持板が上記第２支持板にヒンジ結合されていることができる。
【００１１】
また、上記第２支持板に上記第１支持板が弾性的に圧迫されるように、上記第１支持板と第２支持板とのヒンジ結合部位におけるヒンジ軸にはトーションスプリングが装着されていることができる。
【００１２】
尚、上記クランプユニットは、上記第１支持板の回動時における揺れを遮断するように、上記第２支持板においてヒンジ結合側から延びた台部が形成されるか、または上記第２支持板において上記第１支持板が結合された面の反対側面に装着され、且つ上記第２支持板と上記台部を合わせたサイズ以上に形成された台板をさらに備えることができる。
【００１３】
さらに、上記第１支持板と第２支持板の互いに対応する面のうち少なくとも１つの面には摩擦パッドが装着されていることができる。
【００１４】
一方、本発明は、上記真空ユニットの一側部に設置されており、上記真空ユニットと電気的に連係され、上記クランプユニットによって上記包装袋がクランプされることを検知して上記真空ユニットを作動させる作動ユニットをさらに含むことができる。
【００１５】
ここで、上記作動ユニットには、上記第２支持板に上記第１支持板が移動されたことを検知するか、または上記第２支持板に上記第１支持板が移動されて圧迫される時に、上記第１支持板と第２支持板との間に配置された上記包装袋を検知する検知部が形成されることができる。
【００１６】
この際、上記検知部は、上記第２支持板に上記第１支持板が移動されて圧迫される時に、上記第１支持板と第２支持板との間に配置された上記包装袋に押されて移動されるように突出形成されることができる。
【００１７】
さらに、上記第１支持板と第２支持板との間に上記包装袋がない時に、上記第２支持板に上記第１支持板が移動されて圧迫された場合、上記検知部が引き込まれる作動解除溝が形成された検知解除部が上記第２支持板の一側部に設置されていることができる。
【発明の効果】
【００１８】
本発明による真空装置は、真空ユニットの空気吸引部と包装袋の逆止弁とが気密に連通されるように包装袋をクランプするクランプユニットを構成することにより、クランプユニットによって真空装置の空気吸引部に包装袋の逆止弁が密接することとなり、このような密接状態を空気吸引過程で強固に維持することで、包装袋の内部の真空化が円滑に且つ速やかに行われるようにするという効果を奏する。
【図面の簡単な説明】
【００１９】
【図１】本発明の一実施形態による真空装置を示した斜視図である。
【図２】図１の真空装置において、クランプユニットから真空ユニットを脱去したことを示した斜視図である。
【図３】図１の真空装置で包装袋を真空包装する過程を示した図である。
【図４】図１の真空装置で包装袋を真空包装する過程を示した図である。
【図５】図１の真空装置を示した側面図である。
【図６】図５の真空装置において、作動ユニットの検知部がクランプユニットによる包装袋のクランプを検知する過程を示した図である。
【発明を実施するための形態】
【００２０】
以下、本発明の例示的な図面を参照して詳細に説明する。各図面の構成要素に図面符号を付加するにあたり、同一の構成要素には、たとえ他の図面上に表示されるとしても、できる限り同一の符号を有するようにしていることに留意する。また、本発明を説明するにあたり、係わる公知構成または機能についての具体的な説明が本発明の要旨を不明瞭にする可能性があると判断される場合には、その詳細な説明は省略する。
【００２１】
図１は本発明の一実施形態による真空装置を示した斜視図であり、図２は図１の真空装置においてクランプユニットから真空ユニットを脱去したことを示した斜視図であり、図３及び図４は図１の真空装置で包装袋を真空包装する過程を示した図である。
【００２２】
図面を参照すると、本発明の真空装置は、真空ユニット１００及びクランプユニット２００を含む。
【００２３】
ここで、上記真空ユニット１００は、包装袋１の逆止弁１ａを介して上記包装袋１の内部の空気を吸引することで真空化するユニットであって、真空のための具体的な構成が本発明によって限定されるものではなく、一例として、図面に示されたようなハンディ型ユニットが活用されることができる。
【００２４】
さらに、上記真空ユニット１００としては、図面には示されていないが、韓国特許出願第２０１３−０１２４６２３号に開示の真空包装装置が活用されることができる。この際、上記真空包装装置は、真空吸引管（不図示）を介してクランプユニット２００と連結されることができる。
【００２５】
そして、上記クランプユニット２００は、真空ユニット１００に設けられ、真空ユニット１００の空気吸引部１００ａと包装袋１の逆止弁１ａとが気密に連通されるように、包装袋１をクランプする構成を取る。
【００２６】
具体的に、上記クランプユニット２００は、真空ユニット１００の空気吸引部１００ａが連結される第１支持板２１０と、上記第１支持板２１０と密接可能に連結された第２支持板２２０と、を備えることができる。
【００２７】
ここで、上記第１支持板２１０には、真空ユニット１００の空気吸引部１００ａが連結される連結孔２１０ａが形成されている。この際、上記第１支持板２１０の連結孔２１０ａと真空ユニット１００の空気吸引部１００ａは、互いに着脱構造を取ることができることは言うまでもない。
【００２８】
また、上記第２支持板２２０は、第１支持板２１０と密接可能に連結された構造を取る。かかる第２支持板２２０に第１支持板２１０が移動されて圧迫される時に、第１支持板２１０と第２支持板２２０との間に配置された包装袋１の逆止弁１ａが、第１支持板２１０の連結孔２１０ａと気密に連通されることができる。
【００２９】
この際、上記第１支持板２１０と第２支持板２２０との密接可能な連結構造の一例を図面を参照して説明すると、上記第１支持板２１０は第２支持板２２０にヒンジ結合されることができる。これにより、第１支持板２１０がヒンジ軸２３１を中心に回動することとなり、第２支持板２２０の側に回転して第２支持板２２０に接触された時に、第２支持板２２０の接触面に密接することになる。
【００３０】
これにより、図３、図４、及び図６に示されたように、第２支持板２２０上に包装袋１が載置されると、第１支持板２１０がヒンジ軸２３１を中心に第２支持板２２０の側に回動することで、包装袋１が第１支持板２１０と第２支持板２２０との間で第１支持板２１０及び第２支持板２２０によって密接圧迫される。これにより、包装袋１の逆止弁１ａと第１支持板２１０の連結孔２１０ａとが気密に連通されることができる。
【００３１】
さらに、上記第２支持板２２０に第１支持板２１０が弾性的に圧迫されるように、第１支持板２１０と第２支持板２２０とのヒンジ結合部位におけるヒンジ軸２３１にはトーションスプリング２３２が装着されることができる。
【００３２】
この際、上記トーションスプリング２３２は、一端部が第１支持板２１０の上面に係止して支持され、他端部が第２支持板２２０の上面に係止して支持されて、第１支持板２１０が第２支持板２２０から遠くなる方向に回動時に弾性復帰力が大きくなることで、第２支持板２２０に第１支持板２１０が弾性的に圧迫されるようにする構造を取る。
【００３３】
さらに、上記第１支持板２１０及び第２支持板２２０の互いに対応する面のうち少なくとも１つの面には摩擦パッド２１１が装着されることができる。この際、一例として、図面には、第１支持板２１０にのみ摩擦パッド２１１が装着されることが示されている。かかる摩擦パッド２１１は、第１支持板２１０と第２支持板２２０との間に配置される包装袋１が第１支持板２１０及び第２支持板２２０によって圧迫されることで、クランプ時に滑ることなく一層強固にクランプされるようにする。
【００３４】
一方、上記第１支持板２１０と第２支持板２２０の連結構造は、第１支持板２１０と第２支持板２２０が互いに密接可能に連結される構造を取ればよく、本発明によって限定されるものではないことは言うまでもない。一例として、図面には示されていないが、第１支持板２１０と第２支持板２２０が互いに螺旋軸によって連結され、螺旋軸の回転時に第１支持板２１０と第２支持板２２０との相互離間距離が減少する構造を取ってもよい。
【００３５】
さらに、上記クランプユニット２００には、第１支持板２１０の回動時における揺れを遮断するために、図面には示されていないが、上記第２支持板２２０においてヒンジ結合側から延びた台部（不図示）が形成されることができる。
【００３６】
他の一例として、上記クランプユニットは、第１支持板２１０の回動時における揺れを遮断するために、図面に示されたように、上記第２支持板２２０において第１支持板２１０が結合された面の反対側面に装着され、且つ第２支持板２２０と上記台部を合わせたサイズよりも大きく形成された台板２４０をさらに備えることができる。
【００３７】
これにより、上記クランプユニットは、底のように一定の面を有する部分に載置された状態で、載置された部分が上述の台部または台板２４０によって安定して支持されることで、第１支持板２１０の回動時における揺れを遮断して安定した作動構造を有することができる。
【００３８】
図５は図１の真空装置を示した側面図であり、図６は図５の真空装置において、作動ユニット３００の検知部３１０がクランプユニット２００による包装袋１のクランプを検知する過程を示した図である。
【００３９】
図３から図６を参照すると、本発明は、包装袋１がクランプユニット２００によってクランプされる時に真空ユニット１００を作動させる作動ユニット３００をさらに含むことができる。
【００４０】
かかる作動ユニット３００は、真空ユニット１００の一側部に設置されており、真空ユニット１００と電気的に連係され、クランプユニット２００によって包装袋１がクランプされることを機構的または電気電子的に検知して真空ユニット１００を作動させることができる。
【００４１】
具体的に、上記作動ユニット３００には、第２支持板２２０に第１支持板２１０が移動されて圧迫される時に、第１支持板２１０と第２支持板２２０との間に配置された包装袋１を検知する検知部３１０が形成されることができる。
【００４２】
かかる検知部３１０は、クランプユニット２００によって包装袋１がクランプされることを機構的または電気電子的に検知するように構成されるが、電気電子的な検知構造を取る場合、種々のセンサーが活用可能であることは言うまでもない。
【００４３】
また、上記検知部３１０が機構的な検知構造を取る場合、一例として、図面に示されたように、第２支持板２２０に第１支持板２１０が移動されて圧迫される時に、第１支持板２１０と第２支持板２２０との間に配置された包装袋１に押されて移動されるように、突出形成された構造を取ることができる。すなわち、上記検知部３１０は、突出形成された作動スイッチであって、第１支持板２１０が第２支持板２２０の側に移動される過程で包装袋１と接触され、包装袋１によって作動ユニット３００の内側に押し込まれることとなる。これにより、真空ユニット１００に対する作動ユニット３００の作動制御が実現される。
【００４４】
さらに、上記第２支持板２２０の一側部には、作動解除溝３２０ａが形成された検知解除部３２０が設置されることができる。
【００４５】
ここで、上記検知解除部３２０は、第１支持板２１０と第２支持板２２０との間に包装袋１がない時には、図５に示されたように、第２支持板２２０に第１支持板２１０が移動されて圧迫されている場合、検知部３１０が検知解除部３２０の作動解除溝３２０ａに引き込まれることで、検知部３１０が押し込まれないようにすることにより、真空ユニット１００が作動しないようにする。
【００４６】
このような検知解除部３２０は、第２支持板２２０上に包装袋１が置かれている場合、包装袋１を第２支持板２２０と同一の高さで上方支持できるように、第２支持板２２０において包装袋１が載置される載置面と繋がる面構造を取ることができることは言うまでもない。
【００４７】
一方、本発明の真空ユニット１００は、上述の作動ユニット３００がなく、別にユーザが押して作動させる作動スイッチ（不図示）が装着されてもよく、さらに、上述の作動ユニット３００とともに別の作動スイッチ（不図示）が装着されてもよいが、このような作動スイッチが押されてオンとなることで、作動ユニット３００の制御にかかわらず作動できることは言うまでもない。
【００４８】
結果として、上述のように本発明は、真空ユニット１００の空気吸引部１００ａと包装袋１の逆止弁１ａとが気密に連通されるように包装袋１をクランプするクランプユニット２００を構成することにより、クランプユニット２００によって真空装置の空気吸引部１００ａに包装袋１の逆止弁１ａが密接することとなり、このような密接状態を空気吸引過程で強固に維持することで、包装袋１の内部の真空化が円滑に且つ速やかに行われるようにすることができる。
【００４９】
以上のように、たとえ限定された実施形態と図面によって本発明が説明されたが、本発明はこれに限定されない。本発明が属する技術分野において通常の知識を有する者により、本発明の技術思想と添付の特許請求の範囲と均等な範囲内で様々な修正及び変形が可能であることは言うまでもない。
【図１】
2019500283.tif 000003
【図２】
2019500283.tif 000004
【図３】
2019500283.tif 000005
【図４】
2019500283.tif 000006
【図５】
2019500283.tif 000007
【図６（ａ）】
2019500283.tif 000008
【図６（ｂ）】
2019500283.tif 000009
【国際調査報告】
2019500283.tif 000010
2019500283.tif 000011
2019500283.tif 000012
2019500283.tif 000013